(57)【特許請求の範囲】
【請求項１】
棒状のランプ本体の端部に設けられ、灯器具のソケットに装着される一対の端子を備えた口金であって、
前記ランプ本体の端部を収容するハウジングと、
前記ハウジング内に設けられ、前記一対の端子と前記ランプ本体との間を導通させて前記ランプ本体を点灯させるためのスイッチと、
一部が外部に突出した状態で前記ハウジング内に設けられ、前記一対の端子を前記ソケットに装着するときには前記一部が前記ソケットに押圧されることにより前記一部が前記ハウジング内に埋没するように退避可能であり、前記一対の端子を前記ソケットから取り外したときには前記一部が突出した状態に復帰する可動部材と、
前記スイッチをオンする位置とオフする位置とに設定可能なスイッチ操作部材と、
を備え、
前記スイッチ操作部材は、前記可動部材が退避したときに前記スイッチをオンする位置への設定が可能となり、前記一部が突出した状態にあるときは前記スイッチをオンする位置への設定が不可となり、
前記可動部材は、前記一部を備え前記ランプ本体の長手方向にスライド可能な可動体と、該可動体を前記一部が突出するように付勢する付勢手段とからなり、
前記スイッチ操作部材は、前記ハウジングの前記長手方向と交差する周方向に回転する形状を有しているとともに、前記可動部材に嵌合する形状を有し、前記可動部材が退避したときには前記スイッチ操作部材と前記可動部材との嵌合が外れて前記スイッチ操作部材の回転が可能となる口金。
【請求項２】
請求項１に記載の口金において、
前記スイッチ操作部材は前記ハウジングの外周面に形成されたスリットないし開口を介して専用部材を用いて回転可能である口金。
【請求項３】
請求項２に記載の口金において、
前記専用部材が前記ハウジングに着脱自在に設けられている口金。
【請求項４】
請求項１〜３のいずれか１つに記載の口金において、
前記スイッチ操作部材を前記スイッチをオフする位置に戻すように付勢するバネ部材を有し、
前記スイッチ操作部材を回転させて前記スイッチをオンする位置へ設定したとき、前記バネ部材の一端が前記可動部材の一部に係り合って、前記スイッチ操作部材は前記スイッチをオンする位置に維持される口金。
【請求項５】
請求項４に記載の口金において、
前記一対の端子を前記ソケットから取り外したとき、前記バネ部材の一端と前記可動部材の一部との係り合いが解除され、前記スイッチ操作部材は前記スイッチをオフする位置に戻る口金。
【請求項６】
請求項１〜５のいずれか１つに記載の口金において、
前記ハウジングが、前記ランプ本体の端部を収容する第１のハウジングと、前記一対の端子、前記スイッチ、前記可動部材及び前記スイッチ操作部材を備えた第２のハウジングとからなり、
第１のハウジングには、前記ランプ本体の長手方向にスライド可能で、前記可動部材の弾性力で元の位置に復元可能なラッチ部材が設けられ、
前記ラッチ部材と第２のハウジングとの間には、周方向に間隔おいて設けられた複数の凹部とこれに嵌合する凸部とが相対的に形成され、
前記ラッチ部材をスライドさせて前記凹部と凸部との嵌合を解除した状態で第１のハウジングに対して第２のハウジングを回転させることにより、前記ランプ本体の周方向の位置を変更可能である口金。
【請求項７】
請求項６に記載の口金において、
第１のハウジングに前記スイッチ操作部材を前記スイッチをオンする位置に設定するためのスリットないし開口が形成され、
前記スイッチ操作部材には前記スイッチをオンする位置に設定するための操作用溝が形成され、
前記操作用溝は、第２のハウジングのいずれの回転位置でも前記スリットないし開口に位置するように形成されている口金。
【請求項８】
請求項７に記載の口金において、
前記ランプ本体の照射方向が周方向で限定され、前記スリットないし開口の位置は照射方向と一致する口金。
【請求項９】
棒状のランプ本体と、
前記ランプ本体内に配置された半導体発光素子と、
前記ランプ本体の両端部に設けられた、請求項１〜８のいずれか１つに記載の口金と、
を有する直管形ＬＥＤランプ。
【請求項１０】
請求項９に記載の直管形ＬＥＤランプと、該直管形ＬＥＤランプを装着する灯器具とを備えた照明装置。
【発明の詳細な説明】
【技術分野】
【０００１】
本発明は、ＬＥＤ（Light Emitting Diode）を光源とする直管形ＬＥＤランプ、該直管形ＬＥＤランプに用いることが可能な口金、該直管形ＬＥＤランプを備えた照明装置に関する。
【背景技術】
【０００２】
近年、光源にＬＥＤを用いたＬＥＤランプが普及している。
ＬＥＤランプにおいては、従来の照明器具と比べて消費電力や二酸化炭素の排出量を大幅に低減できるとともに、製品寿命も大幅に拡大できる利点がある。
このため、従来の蛍光灯に代替する照明器具として直管形ＬＥＤランプが注目されている。
【０００３】
両側給電方式である既存の蛍光灯器具を、安定器についての工事をすることなくそのまま用いるタイプでは、蛍光灯器具への直管形ＬＥＤランプの取り付け時、あるいは蛍光灯器具からの直管形ＬＥＤランプの取り外し時に、作業者に電流が流れる事態を防止するための安全対策が講じられている。
例えば、口金の外面に突出する操作片を備え、口金の端子がソケットに挿入されて操作片が押し込まれたときに導通させるスイッチを内蔵した直管形ＬＥＤランプが提案されている（特許文献１）。
口金の端子がソケットに完全に挿入されない状態では導通せず、これにより安全性を確保するものである。
【発明の概要】
【発明が解決しようとする課題】
【０００４】
しかしながら、口金の外面にスイッチをオン・オフさせる操作片を突出させる構成では、作業中に作業者が操作片を押し込むことも可能である。
このため、例えば、直管形ＬＥＤランプの一方側を蛍光灯器具に装着した状態で、他方側を装着する際に作業者が操作片を押し込むと、他方側の端子に電流が流れてしまうため、作業者の安全を確保するための対策を講じる必要があった。
【０００５】
本発明は、このような現状に鑑みてなされたもので、ランプの取り付けや取り外し作業における安全性を確実に確保できる口金の提供を、その主な目的とする。
【課題を解決するための手段】
【０００６】
上記目的を達成するために、本発明は、棒状のランプ本体の端部に設けられ、灯器具のソケットに装着される一対の端子を備えた口金であって、前記ランプ本体の端部を収容するハウジングと、前記ハウジング内に設けられ、前記一対の端子と前記ランプ本体との間を導通させて前記ランプ本体を点灯させるためのスイッチと、一部が外部に突出した状態で前記ハウジング内に設けられ、前記一対の端子を前記ソケットに装着するときには前記一部が前記ソケットに押圧されることにより前記一部が前記ハウジング内に埋没するように退避可能であり、前記一対の端子を前記ソケットから取り外したときには前記一部が突出した状態に復帰する可動部材と、前記スイッチをオンする位置とオフする位置とに設定可能なスイッチ操作部材と、を備え、前記スイッチ操作部材は、前記可動部材が退避したときに前記スイッチをオンする位置への設定が可能となり、前記一部が突出した状態にあるときは前記スイッチをオンする位置への設定が不可となり、前記可動部材は、前記一部を備え前記ランプ本体の長手方向にスライド可能な可動体と、該可動体を前記一部が突出するように付勢する付勢手段とからなり、前記スイッチ操作部材は、前記ハウジングの前記長手方向と交差する周方向に回転する形状を有しているとともに、前記可動部材に嵌合する形状を有し、前記可動部材が退避したときには前記スイッチ操作部材と前記可動部材との嵌合が外れて前記スイッチ操作部材の回転が可能となる。
【発明の効果】
【０００７】
本発明によれば、ランプの取り付けや取り外し作業における安全性を確実に確保できる。
【図面の簡単な説明】
【０００８】
【図１】本発明の一実施形態に係る照明装置の分解斜視図である。
【図２】ランプ本体の分解斜視図である。
【図３】ランプ本体を図２とは反対側から見た斜視図である。
【図４】直管形ＬＥＤランプの一方側の口金の斜視図である。
【図５】口金を示す図で、（ａ）は突出片が突出している状態の斜視図、（ｂ）はハウジングを除去した斜視図、（ｃ）は（ａ）のＣ−Ｃ線での断面を示す斜視図である。
【図６】口金を示す図で、（ａ）は突出片を押し込んだ状態の斜視図、（ｂ）はハウジングを除去した斜視図、（ｃ）は（ａ）のＣ−Ｃ線での断面を示す斜視図である。
【図７】口金を示す図で、（ａ）は突出片が突出している状態の断面図、（ｂ）はハウジングを除去した斜視図、（ｃ）はスイッチ操作部材を回転させることができない状態を示す要部斜視図である。
【図８】口金を示す図で、（ａ）は突出片を押し込んだ状態の断面図、（ｂ）はハウジングを除去した斜視図、（ｃ）はスイッチ操作部材を回転させることができる状態を示す要部斜視図である。
【図９】第２のハウジング２２内の部材を示す図で、（ａ）は組み立て構成を示す斜視図、（ｂ）は分解斜視図である。
【図１０】スイッチ操作部材を回転させてスイッチをオンした状態を示す図で、（ａ）ハウジング内の構成の平面図、（ｂ）はスイッチ操作部材がスイッチをオンする位置に維持されることを示す要部拡大斜視図である。
【図１１】突出片が突出するとスイッチが自動的にオフとなることを示す図で、（ａ）はスイッチ操作部材がスイッチをオンする位置に維持されることを示す要部拡大斜視図、（ｂ）はスイッチ操作部材と可動体との係合が外れる状態を示す要部拡大斜視図、（ｃ）は係合が外れてスイッチ操作部材がコイルバネの付勢力でスイッチがオフする位置に戻る状態を示す要部拡大斜視図である。
【図１２】ハウジング内のスイッチ構成を示す図で、（ａ）は口金の側面図、（ｂ）は（ａ）のＡ−Ａ線での断面図でスイッチがオフした状態を示す図、（ｃ）は（ａ）のＡ−Ａ線での断面図でスイッチがオンした状態を示す図である。
【図１３】スイッチ操作部材とスイッチ構成との関係を示す図で、（ａ）はスイッチＯＮのときの斜視図、（ｂ）は同水平断面図、（ｃ）はスイッチＯＦＦのときの斜視図、（ｄ）は同水平断面図である。
【図１４】口金のハウジングの分解斜視図である。
【図１５】スイッチ操作部材を回転操作する方法を示す図で、（ａ）は操作前の状態を示す口金の斜視図、（ｂ）は専用工具を取り外した状態の斜視図、（ｃ）は専用工具を操作窓に嵌めた状態の斜視図、（ｄ）は専用工具をスライドさせてスイッチ操作部材を回転させた状態の斜視図である。
【図１６】第２のハウジングを回転させてＬＥＤの照射面を変える操作方法を示す図で、（ａ）は操作前の状態を示す口金の斜視図、（ｂ）はその断面図、（ｃ）はラッチリングを押し下げた状態の斜視図、（ｄ）はその断面図、（ｅ）はラッチリングの押し下げによって係合が外れた状態を示す要部斜視図である。
【図１７】第２のハウジングを回転させてＬＥＤの照射面を変える操作方法を示す図で、（ａ）は第２のハウジングを回転させた状態の斜視図、（ｂ）はその断面図、（ｃ）は手を放してラッチリングの押し下げを解除した状態の斜視図、（ｄ）はその断面図、（ｅ）はラッチリングの戻りによって係合した状態を示す要部斜視図である。
【図１８】ＬＥＤの照射位置の変更（７段階）と操作窓との位置関係を示す図である。
【発明を実施するための形態】
【０００９】
以下、本発明の一実施形態を図を参照して説明する。
図１は、照明装置２００の外観を示す分解斜視図である。照明装置２００は、直管形ＬＥＤランプ１００と、直管形ＬＥＤランプ１００を装着する照明器具（灯器具）１５０とを備えている。
直管形ＬＥＤランプ１００は、細長い棒状のランプ本体５と、ランプ本体５の両端部に設けられた口金１ａ、１ｂとを備えている。
照明器具１５０は、蛍光灯を点灯させるための既存の器具と同じものであり、ソケット１５１ａ、１５１ｂの穴位置に合わせて直管形ＬＥＤランプ１００の口金１ａ、１ｂに備えられた給電用の端子を差し込んで装着する構成を有している。
ソケットへの端子装着後、口金１ａ、１ｂに内蔵のスイッチを作業者がオン状態にすると、ソケットから給電される商業用電流が端子を介してランプ本体５内のＬＥＤに流れ、ランプ本体５が点灯する。
【００１０】
図２に示すように、ランプ本体５は、断面が半円形の筒状の筐体２と、透光性のカバー３とから構成されている。
筐体２は、熱伝導率の大きい金属材料で形成されており、筐体２とカバー３との一体構成の外形は円筒形状となる。
筐体２の平坦部の外側であって、カバー３の内方には、カバー３に対向して、実装基板としてのＬＥＤ基板１１が粘着性を有するシート１０を介して固定されている。
ＬＥＤ基板１１は細長い長方形状のプリント基板であり、ＬＥＤ基板１１ａとＬＥＤ基板１１ｂとから構成されている。
ＬＥＤ基板１１ａ、１１ｂにはそれぞれ、ＥＬ効果を持つ半導体発光素子（光源）の一例としてのＬＥＤ１２ａ、１２ｂが筐体２の長手方向に所定の間隔で複数実装されている。
【００１１】
図３に示すように、筐体２の平坦部の内側には、筐体２の長手方向に延びる細長い長方形状の電源基板７が配置されており、その実装面には直流電源変換用の電子部品９が長手方向に間隔をおいて複数搭載されている。
電源基板７はクランプ１５で筐体２に固定されている。
電子部品９によって直流に整流された電流は、図示しないリード線を通してＬＥＤ基板１１ａ、１１ｂに供給される。
口金１ａ、１ｂに接続されたコネクタから延びるリード線６ａ、６ｂを介して電源基板７に電流が供給される。
口金１ａ、１ｂに内蔵される後述のスイッチは、上記端子とリード線６ａ、６ｂとを電気的に接続する機能を有している。
【００１２】
図４に示すように、口金１ａは、ランプ本体５の端部を収容する第１のハウジング２０と、後述するスイッチ等を内蔵した第２のハウジング２２とを有している。
第１のハウジング２０は、ランプ本体５の端部を収容する内側ハウジング２４と、外側ハウジング２６とから構成されている。
第２のハウジング２２の端面２２ａには、ソケット１５１ａに挿入される給電用の一対の端子４ａ、４ｂが突出した状態に設けられている。
端面２２ａには長方形の開口部２２ｂが形成されており、開口部２２ｂからは後述の可動部材の一部としての突出片３０ａが弾性力で一対の端子４ａ、４ｂと同方向へ外部に突出している。
一対の端子４ａ、４ｂをソケット１５１ａに装着するとき、突出片３０ａはソケット１５１ａで押圧されて第２のハウジング２２内に埋没する。口金１ｂ側も同様の構成を有している。
【００１３】
図５（ｂ）に示すように、可動部材２８は、一対の突出片３０ａ、３０ａを備え、ランプ本体５の長手方向にスライド可能な可動体３０と、突出片３０ａが第２のハウジング２２の端面２２ａから突出するように可動体３０を付勢する付勢手段としてのコイルバネ３２とから構成されている。
図５（ｃ）に示すように、内側ハウジング２４の内部にはフランジ部２４ａが形成されており、フランジ部２４ａの内側にはラッチ部材としてのラッチリング３４が設置されている。
可動体３０とラッチリング３４との間にコイルバネ３２が設定されている。ラッチリング３４はコイルバネ３２の弾性力で元の位置に復元可能である。
可動体３０のランプ本体の長手方向における内方端部の外周面には突縁３０ｂが形成されており、突縁３０ｂが第２のハウジング２２の内方端に突き当たることにより、可動体３０の突出位置が規制されている。
【００１４】
図５（ｂ）に示すように、第２のハウジング２２の外面には、スイッチをオンする位置とオフする位置とに設定可能なリング状のスイッチ操作部材３６が設けられている。
スイッチ操作部材３６は、第２のハウジング２２のランプ本体の長手方向と交差する周方向に回転する形状を有している。
突出片３０ａは可動体３０とは分離しており、開口部２２ｂから外側へ抜けない形状を有している。
可動体３０の先端に突出片３０ａが固定されていないため、ソケット１５１ａに対する突出片３０ａの当接状態の可変性により、可動体３０に対するソケット１５１ａからの押圧力を均一にすることができる。
突出片３０ａを可動体３０に一体に固定してもよい。
【００１５】
図５（ａ）に示すように、第１のハウジング２０の外側ハウジング２６には、スイッチ操作部材３６を回転させるための操作窓３８が形成されている。
図５は一対の端子４ａ、４ｂをソケット１５１ａに装着していない状態を示している。
【００１６】
一対の端子４ａ、４ｂをソケット１５１ａに装着すると、図６に示すように、一対の突出片３０ａ、３０ａがソケット１５１ａで押圧されて第２のハウジング２２内に埋没する。
これに伴って可動体３０はランプ本体の長手方向にスライドして退避可能であり、コイルバネ３２が圧縮される。
図７は、一対の突出片３０ａ、３０ａが突出している状態、すなわち、一対の端子４ａ、４ｂをソケット１５１ａに装着していない状態での可動体３０とスイッチ操作部材３６との係わり合い（以下、「係合」という）を示す図である。
図７（ｃ）は図７（ｂ）の点線円の部分の拡大図である。非装着状態では可動体３０の凸部３０ｃがスイッチ操作部材３６の下面に嵌合しており、スイッチ操作部材３６をスイッチがオンする方向である矢印方向に回すことはできない。
すなわち、突出片３０ａが突出した状態では、スイッチ操作部材３６はスイッチがオンする位置への設定が不可となる。なお、スイッチ操作部材３６は分かりやすくするためにドットで表示している（図８（ｃ）において同じ）。
【００１７】
図８（ａ）、（ｂ）に示すように、一対の突出片３０ａ、３０ａが第２のハウジング２２内に埋没するように可動体３０が退避すると、図８（ｃ）に示すように、可動体３０の凸部３０ｃとスイッチ操作部材３６との嵌合が外れる。
これにより、スイッチ操作部材３６をスイッチがオンする方向に回すことが可能となる。
但し、スイッチ操作部材３６をスイッチがオンする方向に回すことが可能となるだけであり、一対の突出片３０ａ、３０ａを作業者が押し込んだとしてもその操作に連動して自動的にスイッチがオンとなるわけではない。
従って、一対の端子４ａ、４ｂをソケット１５１ａに装着するとき、作業者が誤って突出片３０ａを押し込んで、且つ、一対の端子４ａ、４ｂに触れても導通していないので、作業者の安全を確保することができる。
【００１８】
図９（ａ）は口金のハウジングを除いた内部の組み立て構成を示す図で、（ｂ）はその分解図である。
図９（ｂ）において符号４０は嵌合ブラケットを、４４はバネ部材としてトーションスプリングを示している。
嵌合ブラケット４０はランプ本体の長手方向に延びる２本のアーム４２を有し、アーム４２の自由端部にはラッチリング３４の内面に周方向に間隔をおいて複数形成された凹部３４ａに係合する凸部４２ａが形成されている。
凹部３４ａと凸部４２ａの位置関係は相対的で、アーム４２側に凹部を形成し、ラッチリング３４側に凸部を形成してもよい。
【００１９】
トーションスプリング４４は、スイッチ操作部材３６の中央部に配置され、その一端部は可動体３０に留められている。
図１０に示すように、トーションスプリング４４の他端部４４ａは、巻き方向と略直角に外側へ平面を形成するように曲げられ、スイッチ操作部材３６の中央部に形成された縦壁４６の端部４６ａに嵌合している。
トーションスプリング４４はスイッチ操作部材３６に対して常時スイッチをオフする位置に戻すように付勢している。
【００２０】
スイッチ操作部材３６をスイッチをオンする回転角３０°の位置まで回すと、トーションスプリング４４の他端部４４ａが可動体３０の凸部３０ｄの湾曲面（ガイド面）が途切れる部分で外側にずれ、湾曲面と直交する側面に係合する。
これによりスイッチ操作部材３６にはトーションスプリング４４の付勢力が作用しなくなり、スイッチ操作部材３６はスイッチをオンする位置に維持される。
スイッチ操作部材３６のリング部４８の外周面には、周方向に間隔おいて操作用溝４８ａが複数形成されている。
【００２１】
ソケット１５１ａから一対の端子４ａ、４ｂを外したときは、スイッチ操作部材３６は自動的にスイッチをオフする位置に回転する。これを図１１に基づいて説明する。
ソケット１５１ａから一対の端子４ａ、４ｂを外すと、コイルバネ３２の付勢力で可動体３０は突出片３０ａが突出する方向にスライドして復帰する。
図１１（ｂ）に示すように、可動体３０のスライドに伴って凸部３０ｄも矢印方向に移動するため、可動体３０の復帰動作に伴ってトーションスプリング４４の他端部４４ａと凸部３０ｄとの係合が外れる。
係合が外れると、縦壁４６にトーションスプリング４４による戻す力が作用し、縦壁４６を一体に有するスイッチ操作部材３６はスイッチをオフする位置に回転する。
【００２２】
従って、一対の端子４ａ、４ｂをソケット１５１ａから取り外すとき、ソケット１５１ａから外した瞬間にスイッチがオフとなるので、作業者が誤って突出片３０ａを押し込んで、且つ、一対の端子４ａ、４ｂに触れても通電していないので、作業者の安全を確保することができる。
スイッチがオフになったときは、図７（ｃ）で示したように、可動体３０の凸部３０ｂとスイッチ操作部材３６とが嵌合し、スイッチ操作部材３６をスイッチがオンする方向に回すことはできなくなる。
【００２３】
図１２及び図１３に基づいて、スイッチ操作部材３６の回転によってオン・オフされるスイッチの構成について説明する。
第２のハウジング２２内に収容されているスイッチは、一対の端子４ａ、４ｂに接続された第１端子５０と、軸回りに回転可能に設けられた太線で示す第２端子５２と、上述のリード線６ａが接続される第３端子５４とから構成されている。
第２端子５２は常時第３端子５４と接触している。
【００２４】
図１２（ｂ）は、第１端子５０と第２端子５２とが離間したスイッチＯＦＦの状態を示し、図１２（ｃ）は第１端子５０と第２端子５２とが接触して全ての端子が電気的に接続されたスイッチＯＮの状態を示している。
図１３（ａ）、（ｂ）に示すように、スイッチ操作部材３６をスイッチをオンする方向（時計回り方向）へ回すと、スイッチ操作部材３６に一体に形成された操作用支柱３６ａと同期移動可能に設けられた第２端子５２が回転して第１端子５０と接触する。
本実施形態ではスイッチ操作部材３６を３０°回転させることにより第２端子５２と第１端子５０とが接触する。
図１３（ｃ）、（ｄ）に示すように、スイッチ操作部材３６をスイッチをオフする方向（反時計回り方向）へ回すと、スイッチ操作部材３６の操作用支柱３６ａの逆方向の移動に伴って第２端子５２が逆方向に回転して第１端子５０から離間する。
【００２５】
図１２（ａ）に示すように、口金先端部としての第２のハウジング２２の外径ｗは２５．７８ｍｍ以下であり、その長さｈは８．７１ｍｍ以上である。
従って、ＪＩＳ規格のφ２６の蛍光灯規格に対応している。
また、図１３（ｄ）に示すように、スイッチＯＦＦの状態での第１端子５０と第２端子５２との間の最短空間距離ｇは３ｍｍ以上に設定されており、スイッチとしての規格も満たしている。
【００２６】
以下に、スイッチ操作部材３６を回転させてスイッチをオンする操作方法を説明する。
図９に示すように、ラッチリング３４には、スイッチ操作部材３６を回転させるための専用部材を着脱自在に取り付けるための受け部５６が一体に形成されているとともに、径方向で対向する位置に一対の摘み部５８が一体に形成されている。
図１４に示すように、第１のハウジング２０は、外側ハウジング２６に内側ハウジング２４を挿入して嵌合する構成となっている。
外側ハウジング２６にはランプ本体の長手方向に延びる保持部材２６ａが３つ形成されており、保持部材２６ａの先端部には突起２６ｂが形成されている。
内側ハウジング２４には、ラッチリング３４の摘み部５８と受け部５６とに対応する位置にスリット２４ｂが形成されている。
【００２７】
受け部５６に対応するスリット２４ｂの上端には、上記専用部材の凸部を収容する凹部２４ｃが連設されている。
内側ハウジング２４の上端には、爪部材２６ａの突起２６ｂに対応する位置に溝部２４ｄが形成されている。
内側ハウジング２４と外側ハウジング２６とを互いに合わせて押し込むと、保持部材２６ａが弾性変形してその突起２６ｂが溝部２４ｄに係合し、一体化される。
既述のように、外側ハウジング２６にはスイッチ操作部材３６のリング部４８と対向する位置に操作窓３８が形成されている。
操作窓３８の近傍には、スイッチ操作部材３６を回転させる方向を示した矢印マーク６０が表示されている。
【００２８】
図１５（ａ）に示すように、受け部５６には専用部材としての専用工具６２が装着されている。
操作窓３８の開口幅は外から作業者が指でリング部４８を操作できない幅に設定されている。
作業者は、一対の端子４ａ、４ｂがソケット１５１ａに装着されてスイッチ操作部材３６を回転可能な状態となったら、図１５（ｂ）に示すように、専用工具６２を受け部５６から取り外す。
操作窓３８にはスイッチ操作部材３６のリング部４８と操作用溝４８ａが対向し、外から目視できるようになっている。
作業者は、図１５（ｃ）に示すように、取り外した専用工具６２をその凸部６２ａが操作用溝４８ａに係合するように操作窓３８に嵌め、図１５（ｄ）に示すように、矢印マーク６０で示す方向に専用工具６２をスライドさせる。
【００２９】
専用工具６２を操作窓３８の周方向の幅内でスライドさせるとスイッチ操作部材３６が３０°回転するようになっており、上述のようにスイッチがＯＮとなる。
スイッチをＯＮする操作が終了したら、図１５（ａ）に示すように、専用工具６２を受け部５６に戻して装着する。
【００３０】
上記のように、突出片３０ａを押し込んだ状態で、専用工具６２を用いてスイッチをＯＮ状態にして初めて通電可能な状態になる。
従って、一対の端子４ａ、４ｂのソケット１５１ａに装着するとき、作業者は突出片３０ａを誤って手で押し込んでも、手ではスイッチ操作部材３６を回転させてスイッチをＯＮ状態にすることができない。
このため、取り付け作業中にランプが通電状態になる不具合を確実に防止することができる。
換言すれば、突出片３０ａを押し込んだだけではスイッチがＯＮとならず、スイッチ操作部材３６を所定位置に設定する必要があり（１段階）、スイッチ操作部材３６の回転操作が専用工具６２でなければできない（２段階）、という２重の安全対策が施されている。
【００３１】
取り外す作業も同様に、一対の端子４ａ、４ｂをソケット１５１ａから外した瞬間にスイッチがＯＦＦ状態になるので、作業者は突出片３０ａを誤って手で押し込んでも、手ではスイッチ操作部材３６を回転させることができない。
このため、取り外し作業中にランプが通電状態になる不具合を確実に防止することができる。
なお、突出片を押し込むとスイッチがＯＮとなる従来構成に比べると、突出片３０ａを押し込んだ後にスイッチ操作部材３６を手で回転させることができる構成でも安全性を十分に確保することができる。
専用工具６２は口金に着脱自在に備えられているので、管理が不要で無くす心配もない。
専用工具を忘れても現場にあるので、ランプの取り付け、取り外しの作業性も向上する。
【００３２】
本実施形態に係る直管形ＬＥＤランプ１００は、指向性を有するＬＥＤの照射面を任意の方向へ向けることができるようになっている。その構成及び動作を図１６及び図１７に基づいて説明する。
図１６（ａ）、（ｂ）はコイルバネ３２の付勢力でラッチリング３４がランプ本体側に押圧されている状態を示している。
この状態で図１６（ｃ）、（ｄ）に示すように、ラッチリング３４に一体に形成された摘み部５８をコイルバネ３２の付勢力に抗して押し下げる。
ラッチリング３４を押し下げると、図１６（ｅ）に示すように、ラッチリング３４の凹部３４ａと、嵌合ブラケット４０のアーム４２の自由端部の凸部４２ａとの係合（図９参照）が外れる。
これにより、嵌合ブラケット４０が一体に組み付けられた口金先端部としての第２のハウジング２２を、ランプ本体５の端部を収容した第１のハウジング２０に対して回転させることが可能となる。
【００３３】
換言すれば、ソケット１５１ａに対する一対の端子４ａ、４ｂの装着位置に対して、ランプ本体５の周方向の位置、すなわちＬＥＤの照射面の位置を変更可能である。
図１７（ａ）、（ｂ）に示すように、ラッチリング３４を押し下げた状態で第２のハウジング２２を回転させる。
第２のハウジング２２を所望の角度回転させた後、手を放してラッチリング３４の押し下げを解除する。
手を放すと、図１７（ｃ）、（ｄ）に示すように、コイルバネ３２の付勢力でラッチリング３４は上方へスライドし、図１７（ｅ）に示すように、ラッチリング３４の凹部３４ａと、嵌合ブラケット４０のアーム４２の自由端部の凸部４２ａとが係合する。
これにより第２のハウジング２２は回すことができなくなる。
【００３４】
本実施形態では、第２のハウジング２２を±９０度で３０度ステップの７段階の位置に回転可能な構成としている。
従って、ＬＥＤの照射面を任意の方向へ多段階に調整することが可能であり、明るさの方向が異なる多様な照明状態を得ることができ、使用性の向上に寄与することができる。
【００３５】
図１８に、スイッチをオンするアクセス場所としての操作窓３８と、口金先端部としての第２のハウジング２２の回転位置との関係を示す。＋３０度と、−６０度の場合は省略している。
スイッチ操作部材３６のリング部４８には複数の操作用溝４８ａが形成されているため、第２のハウジング２２の回転位置がどの位置にあっても、操作窓３８の位置を一定にしてスイッチをオンすることが可能となる。
従って、第２のハウジング２２の回転位置によっては操作窓３８にリング部４８の操作用溝４８ａが対向せず、スイッチのオン操作ができなくなる不具合が発生することは無い。
操作窓３８の一定位置は、ＬＥＤの照射方向と一致している。これにより、操作窓３８がランプ本体５の照明器具１５０に対向する側に位置してスイッチをオンさせる操作が困難となる不具合は無い。
【００３６】
上述した口金１ａついての構成、操作及び動作は他方に口金１ｂにおいても同様である。
【００３７】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００３８】
１ａ、１ｂ  口金
５  ランプ本体
１５１ａ、１５１ｂ  ソケット
２０  第１のハウジング
２２  第２のハウジング
２８  可動部材
３０  可動体
３２  付勢手段としてのコイルバネ
３４  ラッチ部材としてのラッチリング
３４ａ  凹部
３６  スイッチ操作部材
３８  スリットないし開口としての操作窓
４２  バネ部材としてのトーションスプリング
４２ａ  凸部
６２  専用部材としての専用工具
１００  直管形ＬＥＤランプ
１５０  灯器具としての照明器具
２００  照明装置
【先行技術文献】
【特許文献】
【００３９】
【特許文献１】特許第４９７６５７９号公報
【図１】
0005971291.tif 000002
【図２】
0005971291.tif 000003
【図３】
0005971291.tif 000004
【図４】
0005971291.tif 000005
【図５】
0005971291.tif 000006
【図６】
0005971291.tif 000007
【図７】
0005971291.tif 000008
【図８】
0005971291.tif 000009
【図９】
0005971291.tif 000010
【図１０】
0005971291.tif 000011
【図１１】
0005971291.tif 000012
【図１２】
0005971291.tif 000013
【図１３】
0005971291.tif 000014
【図１４】
0005971291.tif 000015
【図１５】
0005971291.tif 000016
【図１６】
0005971291.tif 000017
【図１７】
0005971291.tif 000018
【図１８】
0005971291.tif 000019